(57)【要約】【課題】  コストをかけずにリッドが一気に全開状態にまで開かないようにする。【解決手段】  箱型のグローブボックス本体２と、グローブボックス本体２の手前側に形成された開口部３にヒンジ部４を介して開閉可能に設けられたリッド５と、リッド５から延設され且つグローブボックス本体２の手前側に形成された貫通孔１５に挿入されて、リッド５の開閉を案内すると共に、リッド５を全開状態で停止させるためのストッパーレバー１６とを備えたグローブボックス構造であって、ストッパーレバー１６の中途部に、リッド５を中間開度で停止可能な中間ストッパー部２１を設けるようにしている。【選択図】        図１
2005313751.tif 000002
【特許請求の範囲】
【請求項１】
箱型のグローブボックス本体と、該グローブボックス本体の手前側に形成された開口部にヒンジ部を介して開閉可能に設けられたリッドと、該リッドから延設され且つグローブボックス本体の手前側に形成された貫通孔に挿入されて、リッドの開閉を案内すると共に、リッドを全開状態で停止させるためのストッパーレバーとを備えたグローブボックス構造において、
前記ストッパーレバーの中途部に、リッドを中間開度で停止可能な中間ストッパー部を設けたことを特徴とするグローブボックス構造。
【請求項２】
前記中間ストッパー部が、所要の弾性を有して貫通孔に係止可能な弾性凸部であることを特徴とする請求項１記載のグローブボックス構造。
【請求項３】
前記弾性凸部が、ストッパーレバーを肉抜きすることによって弾性を付与されたものであることを特徴とする請求項２記載のグローブボックス構造。
【発明の詳細な説明】
【技術分野】
【０００１】
この発明は、グローブボックス構造に関するものである。
【背景技術】
【０００２】
自動車などの車両には、車室内にグローブボックスが設けられている。このようなグローブボックスは、バケット型のものが一般的であるが、より容量の大きな箱型のものも存在する（例えば、特許文献１参照）。
【０００３】
このような箱型のグローブボックスは、例えば、箱型のグローブボックス本体と、グローブボックス本体の手前側に形成された開口部にヒンジ部を介して開閉可能に設けられたリッドと、リッドから延設され且つグローブボックス本体の手前側に形成された貫通孔に挿入されて、リッドの開閉を案内すると共に、リッドを全開状態で停止させるためのストッパーレバーとを備えている。
【特許文献１】特開２００３−２９１７３５
【発明の開示】
【発明が解決しようとする課題】
【０００４】
箱型のグローブボックスは、大きな容量を確保できる反面、構造上、リッドが大きく開くので、リッドを一気に開けると、乗員の膝に当ってしまうおそれがある。そこで、リッドが一気に全開状態にまで開かないようにする手段が必要となるが、このような手段としてダンパ装置などの補助部品を用いるとコストが高くなってしまうという問題がある。
【課題を解決するための手段】
【０００５】
上記課題を解決するために、請求項１に記載された発明では、箱型のグローブボックス本体と、該グローブボックス本体の手前側に形成された開口部にヒンジ部を介して開閉可能に設けられたリッドと、該リッドから延設され且つグローブボックス本体の手前側に形成された貫通孔に挿入されて、リッドの開閉を案内すると共に、リッドを全開状態で停止させるためのストッパーレバーとを備えたグローブボックス構造において、前記ストッパーレバーの中途部に、リッドを中間開度で停止可能な中間ストッパー部を設けたことを特徴とするグローブボックス構造。
【０００６】
請求項２に記載された発明では、前記中間ストッパー部が、所要の弾性を有して貫通孔に係止可能な弾性凸部であることを特徴とする請求項１記載のグローブボックス構造。
【０００７】
請求項３に記載された発明では、前記弾性凸部が、ストッパーレバーを肉抜きすることによって弾性を付与されたものであることを特徴とする請求項２記載のグローブボックス構造。
【発明の効果】
【０００８】
請求項１の発明によれば、ストッパーレバーの中途部に、中間ストッパー部を設けることにより、リッドを中間開度で一旦停止させることが可能となる。よって、リッドが一気に全開状態にまで開かないようにすることができ、リッドの乗員への膝当たりを防止することができる。しかも、既設のストッパーレバーを利用して２段アクションを実現しているので、ダンパ装置などの補助部品が不要となり、コストをかけずに実施することができる。
【０００９】
請求項２の発明によれば、中間ストッパー部を、所要の弾性を有して貫通孔に係止可能な弾性凸部とすることにより、確実且つ柔らかくスムーズにリッドを中間開度で停止させること、および、中間開度での停止状態を解除することができる。
【００１０】
請求項３の発明によれば、ストッパーレバーを肉抜きすることによって、容易且つ安価に弾性凸部に弾性を付与することができる。
【発明を実施するための最良の形態】
【００１１】
コストをかけずにリッドが一気に全開状態にまで開かないようにするという目的を、ストッパーレバーの中途部に、リッドを中間開度で停止可能な中間ストッパー部を設ける、という手段で実現した。
【実施例】
【００１２】
以下、本発明を具体化した実施例について、図示例と共に説明する。
【００１３】
図１、図２は、この発明の実施例を示すものである。
【００１４】
まず、構成を説明すると、自動車などの車両の車室内に箱型のグローブボックス１を設ける。このグローブボックス１は、箱型のグローブボックス本体２と、グローブボックス本体２の手前側に形成された開口部３にヒンジ部４を介して開閉可能に設けられたリッド５とを備えている。このリッド５は、ヒンジ部４を下方の位置に設定することにより開口部３に対して下開きとされている。そのため、ロック部６は、グローブボックス１の上側に設定されている。
【００１５】
上記グローブボックス本体２は、手前側の開口部３の周囲に、インストルメントパネル８などの内装パネルに対して取付けるための取付フランジ部９が設けられている。また、リッド５の内面側には、収納ポケット部１０などが設けられている。
【００１６】
そして、グローブボックス本体２手前側の取付フランジ部９には、貫通孔１５が形成されている。また、リッド５からは、グローブボックス本体２の手前側に形成された貫通孔１５に出入自在に挿入されて、リッド５の開閉を案内するストッパーレバー１６が延設されている。このストッパーレバー１６は、側面視でヒンジ部４を略中心とする円弧状を呈している。このストッパーレバー１６の先端部には、リッド５を全開状態で停止させるためのストッパー部１７が形成されている。
【００１７】
この実施例のものでは、ストッパーレバー１６の中途部に、リッド５を中間開度で停止可能な中間ストッパー部２１を設ける。この中間ストッパー部２１を設ける位置や個数は任意であるが、少なくとも、リッド５が全開状態となる直前の位置に対して１個は設置するようにする。
【００１８】
特に、中間ストッパー部２１は、所要の弾性を有して貫通孔１５に係止可能な弾性凸部２２とする。この弾性凸部２２は、比較的なだらかな山型とするのが好ましい。
【００１９】
この弾性凸部２２に対し、例えば、ストッパーレバー１６を肉抜きすることによって弾性を付与するようにする（肉抜部２５）。この肉抜部２５は、例えば、山型の弾性凸部２２の輪郭を残して、その内側領域に形成する。
【００２０】
次に、この実施例の作用について説明する。
【００２１】
ロック部６を解除し、ヒンジ部４を中心としてリッド５を下側へ開くと、開口部３が出現し、この開口部３を介して箱型のグローブボックス本体２の内部への物の出し入れが可能となる。
【００２２】
リッド５の開閉の際には、グローブボックス本体２手前側の取付フランジ部９に形成された貫通孔１５に沿ってストッパーレバー１６が出入りすることにより案内を行う。そして、リッド５が全開状態となると、ストッパーレバー１６先端部のストッパー部１７が貫通孔１５の周辺に係止されることにより、リッド５が停止される。
【００２３】
この実施例によれば、ストッパーレバー１６の中途部に、中間ストッパー部２１を設けることにより、リッド５を中間開度で一旦停止させることが可能となる。よって、リッド５が一気に全開状態にまで開かないようにすることができ、リッド５の乗員への膝当たりを防止することができる。しかも、既設のストッパーレバー１６を利用して２段アクションを実現しているので、ダンパ装置などの補助部品が不要となり、コストをかけずに実施することができる。
【００２４】
また、中間ストッパー部２１を、所要の弾性を有して貫通孔１５に係止可能な弾性凸部２２とすることにより、確実且つ柔らかくスムーズにリッド５を中間開度で停止させること、および、中間開度での停止状態を解除することができる。
【００２５】
更に、ストッパーレバー１６を肉抜きすることによって、容易且つ安価に弾性凸部２２に弾性を付与することができる。
【００２６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２７】
【図１】本発明の実施例の全体斜視図である。
【図２】図１のストッパーレバー部分の側方断面図である。
【符号の説明】
【００２８】
２    グローブボックス本体
３    開口部
４    ヒンジ部
５    リッド
１５  貫通孔
１６  ストッパーレバー
２１  中間ストッパー部
２２  弾性凸部
２５  肉抜部
【図１】
2005313751.tif 000003
【図２】
2005313751.tif 000004